(57)【要約】      （修正有）【課題】切り換えミスを防止したスライドスイッチ機構を搭載した撮像装置を提供する。【解決手段】中央の第一の位置とその両側の第二の位置および第三の位置に移動可能なスライドノブ２００と、前記スライドノブ２００から出没可能に取り付けられたプッシュノブを有し、前記プッシュノブは前記第一の位置から前記第二の位置および前記第三の位置への移動を規制するための係止部３０１を有し、前記プッシュノブの係止部３０１と係合する凹部１０３を筺体１００に有し、前記スライドノブが前記第一の位置にある時は、前記係止部３０１が前記凹部１０３に挿入されて移動を規制し、前記プッシュノブを押し込むことにより前記係止部３０１が前記凹部１０３から抜け出し前記スライドノブ２００を前記第一の位置から前記第二の位置または前記第三の位置への移動が可能なスライドスイッチ機構を有する。【選択図】図９
2015115215.tif 000002
【特許請求の範囲】
【請求項１】
第一の位置を中央として、前記第一の位置の左に位置する第二の位置、前記第一の位置の右に位置する第三の位置に移動可能なスライドノブと、
前記スライドノブから出没可能に取り付けられ、付勢部材により突出状態に付勢されるプッシュノブを有し、
前記プッシュノブ第一の位置から前記第二の位置、前記第三の位置への移動を規制するための係止部を有し、
前記プッシュノブの係止部と係合する凹部を筺体に有し、
前記スライドノブが前記第一の位置にある時は、前記プッシュノブが突出状態時であり且つ、前記第一の位置からの移動を規制し、
前記プッシュノブが押しこまれた状態では前記スライドノブを前記第一の位置から前記第二の位置または前記第三の位置への移動が可能なスライドスイッチ機構で、
前記第一の位置におけるプッシュノブの係止部と係合する筺体の凹部と、
前記第二の位置または前記第三の位置におけるプッシュノブの係止部が当接する筺体の当接面との間の接続面に、斜面を設けたことを特徴とするスライドスイッチ機構。
【請求項２】
前記第一の位置は電源ＯＦＦモード位置、前記第二の位置はカメラモード位置、前記第三の位置はビデオモード位置に設定された、請求項１のスライドスイッチ機構を搭載した撮像装置。
【発明の詳細な説明】
【技術分野】
【０００１】
本発明は、３ポジション型のスライドスイッチ機構および該スライドスイッチ機構を搭載した撮像装置に関するものである。
【背景技術】
【０００２】
従来、３ポジション型のスライドスイッチは広く使われており、例えば、カメラ一体型ビデオの電源モード切り替えスイッチに使われることが多い。
【０００３】
特に電源モードスイッチに使う時は、センター位置でのロック機構や、両側位置で不用意に移動せず安定して保持されること、両側位置からセンター位置移動時にセンターを通り越して反対側位置まで行きすぎないことが重要で、上記のような誤操作防止に対して、カメラモード位置から電源ＯＦＦモード位置に、スライドツマミの押し釦を押した状態でスライドさせる際に、スライドツマミ側部材に係合して、スライドツマミのスライド方向の他端に位置するビデオモード位置への移行を阻止する係合手段を有する技術が特許文献１に開示されている。
【先行技術文献】
【特許文献】
【０００４】
【特許文献１】特許第３５９３７００号明細書
【発明の概要】
【発明が解決しようとする課題】
【０００５】
上述した特許文献１に示された方式の場合、カメラモード位置から電源ＯＦＦモード位置に移動させる場合には、ビデオモード位置への移行を阻止する係合手段を有するため、電源ＯＦＦモード位置でスライドツマミが係止される。しかしながら、ビデオモード位置から電源ＯＦＦモード位置に移動させる場合には、カメラモード位置への移行を阻止する係合手段を有しておらず、電源ＯＦＦモード位置を通り越してカメラモード位置へ移動してしまう可能性がある。また独立した移行阻止手段を必要とするため、構造が複雑でコストの増加を招いていた。
【０００６】
本発明は、上述した事情に鑑みてなされたもので、スライドノブの的確なスイッチ操作を可能とし、切り換えミスを防止したスライドスイッチ機構を搭載した撮像装置を簡単な機構でコスト増加を招くことなく提供することを目的としている。
【課題を解決するための手段】
【０００７】
本発明のスライドスイッチ機構を搭載した撮像装置は、
第一の位置を中央として、前記第一の位置の左に位置する第二の位置、前記第一の位置の右に位置する第三の位置に移動可能なスライドノブと、前記スライドノブから出没可能に取り付けられ、付勢部材により突出状態に付勢されるプッシュノブを有し、前記プッシュノブは前記第一の位置から前記第二の位置、前記第三の位置への移動を規制するための係止部を有し、前記プッシュノブの係止部と係合する凹部を筺体に有し、前記スライドノブが前記第一の位置にある時は、前記プッシュノブが突出状態時であり且つ、前記第一の位置からの移動を規制し、前記プッシュノブが押しこまれた状態では前記スライドノブを前記第一の位置から前記第二の位置または前記第三の位置への移動が可能なスライドスイッチ機構で、前記第一の位置におけるプッシュノブの係止部と係合する筺体の凹部と、前記第二の位置または前記第三の位置におけるプッシュノブの係止部が当接する筺体の当接面との間の接続面に、斜面を設けたことを特徴としている。
【発明の効果】
【０００８】
本発明によれば、第一の位置を中央とした、前記第一の位置の左の第二の位置、前記第一の位置の右の第三の位置ではスライドノブの移動をロック解除不要とし、第一の位置におけるプッシュノブの係止部と係合するカバーの凹部と第二の位置、第三の位置におけるプッシュノブの係止部が当接するカバーの当接面との間の接続面に斜面を設けたことにより、第二の位置、第三の位置から第一の位置への不用意なスライドノブの移動を制限することが可能となるとともに、第二の位置または第三の位置から第一の位置に移動させる際には、プッシュノブを解除する必要なくスライドノブを操作するため、第一の位置に移動後、プッシュノブの係止部と係合するカバーの凹部にプッシュノブの係止部が挿入され、係止されるため、第一の位置を通り越して、第三の位置または第二の位置へ行きすぎてしまうことを防止可能なスライドスイッチ機構を、簡単な機構でコスト増加を招くことなく提供することができる。
【図面の簡単な説明】
【０００９】
【図１】スライドスイッチ機構が設けられたカメラ一体型ビデオの斜視図。
【図２】スライドスイッチ機構が電源ＯＦＦモード時の図。
【図３】スライドスイッチ機構がカメラモード時の上面図。
【図４】スライドスイッチ機構がビデオモード時の上面図。
【図５】スライドスイッチ機構の上方からの分解斜視図。
【図６】スライドスイッチ機構の下方からの分解斜視図。
【図７】スライドスイッチ機構の上下方向切断面。
【図８】スライドスイッチ機構の左右方向切断面。
【図９】スライドスイッチ機構の左右方向切断面。
【図１０】スライドスイッチ機構の上下方向切断面。
【発明を実施するための形態】
【００１０】
以下、本発明による３ポジション型のスライドスイッチを搭載した撮像装置を図面に示す実施例に基づいて説明する。
【００１１】
＜第１の実施形態＞
図１は本実施例のスライドスイッチ機構２０が設けられたカメラ一体型ビデオ１０の斜視図であり、図２は、図１のスライドスイッチ機構２０付近の切り出し拡大図である。特に図２（ａ）は上面図、図２（ｂ）は側面図、図２（ｃ）は裏面図である。図中、１００は本体のカバー、２００はカバー１００に対してスライドするスライドノブである。
【００１２】
スライドノブ２００はスライドスイッチ機構２０により、左右に移動可能で、図２（ａ）は中央に位置した状態で、カメラ一体型ビデオ１０は電源ＯＦＦモードに設定される。図３は左に移動した状態で、カメラ一体型ビデオ１０はカメラモードに設定される。図４は右に移動した状態で、カメラ一体型ビデオ１０はビデオモードに設定される。
【００１３】
図５はスライドスイッチ機構２０の上方からの分解斜視図であり、図６はスライドスイッチ機構２０の下方からの分解斜視図である。
【００１４】
３００はスライドノブ２００の中央部穴２０１より出没可能に取り付けられたプッシュノブ、３０３はスライドノブ２００の中央部穴２０１より出没するプッシュノブ３００に設けられたプッシュ部、４００はプッシュノブ３００をスライドノブ２００の中央部穴２０１より突出方向に付勢する付勢部材、５００はスライドスイッチ機構２０のベースとなるスライドベースである。
【００１５】
７００はスライドスイッチ機構２０が左右に移動する際のクリック力を付加するクリックボールで、８００はクリックボール７００をスライドベース５００方向へ付勢する付勢部材である。
【００１６】
６００はカバー１００を挟んで、スライドノブ２００とスライドベース５００を一体に固定する固定部材である。
【００１７】
９００はスライドＳＷ９１０が実装されたフレキシブル基板で、スライドＳＷ９１０のＳＷレバー９１１がスライドベース５００のＳＷレバー係止部５０７に係止され、スライドスイッチ機構２０に連動してスライドＳＷ９１０のＳＷレバー９１１の位置が切り替えが行われる。
【００１８】
フレキシブル基板９００はカメラ一体型ビデオ１０内の図示しない基板に接続され、前記基板に搭載された制御回路へスライドスイッチ機構２０の位置情報信号を送信し、ＳＷレバー９１１の位置により、カメラ一体型ビデオ１０は電源ＯＦＦモード、カメラモード、ビデオモードに制御される。
【００１９】
図７はカメラ一体型ビデオ１０のスライドスイッチ機構２０が電源ＯＦＦモードに設定された図２の位置のスライドノブ２００の中央で上下方向に切った縦断面図である。
【００２０】
図８は図７のプッシュノブ３００の付勢部材４００挿入用の軸３０４の中央で左右方向に切った横断面図である。
【００２１】
図９はカバー１００に設けられたスライドノブ２００用摺動リブ１０１上で左右に切った横断面図である。図９（ａ）はスライドノブ２００が電源ＯＦＦモード時、図９（ｂ）はスライドノブ２００がカメラモード時、図９（ｃ）はビデオモード時である。
【００２２】
図５から図９に於いて、１０３はカバー１００に設けられた溝で、３０１はプッシュノブ３００に設けられた突出部であり、図９（ａ）のスライドノブ２００が電源ＯＦＦモード時に、プッシュノブ３００に設けられた突出部３０１がカバー１００に設けられた溝１０３に挿入され、スライドノブ２００が左右への移動を係止している。
【００２３】
１０４は図９（ｂ）のスライドノブ２００がカメラモード時に、プッシュノブ３００に設けられた突出部３０１が当接するカバー１００に設けられたカメラモード時当接面である。１０５はスライドノブ２００が図９（ｂ）のカメラモード時から図９（ａ）の電源ＯＦＦモードへ移動するときにプッシュノブ３００に設けられた突出部３０１が当接するカバー１００に設けられた面であり、カメラモード時当接面１０４に対してカバー１００に設けられた溝１０３と反対方向へ傾斜した、カメラモード／電源ＯＦＦモード間当接面である。
【００２４】
１０６は図９（ｃ）のスライドノブ２００がビデオモード時に、プッシュノブ３００に設けられた突出部３０１が当接するカバー１００に設けられたビデオモード時当接面である。１０７はスライドノブ２００が図９（ｃ）のビデオモード時から図９（ａ）の電源ＯＦＦモードへ移動するときにプッシュノブ３００に設けられた突出部３０１が当接するカバー１００に設けられた面であり、ビデオモード時当接面１０６に対してカバー１００に設けられた溝１０３と反対方向へ傾斜した、ビデオモード／電源ＯＦＦモード間当接面である。
【００２５】
図１０は、図７のクリックボール７００の中心にて上下方向に切った横断面図である。図１０（ａ）はスライドノブ２００が電源ＯＦＦモード時、図１０（ｂ）はスライドノブ２００がカメラモード時、図１０（ｃ）はビデオモード時である。
【００２６】
５０２は、図９（ａ）の電源ＯＦＦモード時にクリックボール７００が当接するスライドベース５００に設けられた第一のＶ溝であり、５０３は図９（ｂ）のカメラモード時にクリックボール７００が当接するスライドベース５００に設けられた第二のＶ溝であり、５０４は図９（ｃ）のビデオモード時にクリックボール７００が当接するスライドベース５００に設けられた第三のＶ溝である。
【００２７】
次に、前述の構成のスライドスイッチ機構２０の動作について説明する。
【００２８】
図２、図７、図８、図９（ａ）、図１０（ａ）はスライドノブ２００が電源ＯＦＦモード位置にある場合を示しており、すなわち、プッシュノブ３００に設けられた突出部３０１がカバー１００に設けられた溝１０３の挿入された状態にある。
【００２９】
この電源ＯＦＦモード位置にあるスライドノブ２００を左右方向のカメラモード位置またはビデオモード位置に移動する場合には、スライドノブ２００の中央部穴２０１より出没するプッシュノブ３００に設けられたプッシュ部３０３を付勢部材４００の付勢力に反して押しこみ、プッシュノブ３００に設けられた突出部３０１がカバー１００に設けられた溝１０３から抜け出すことにより、スライドノブ２００が図９（ｂ）、図１０（ｂ）のカメラモードまたは、図９（ｃ）、図１０（ｃ）のビデオモードに移動可能となる。
【００３０】
スライドスイッチ機構２０が各モードに切り替えられる際に、スライドノブ２００に固定部材６００で固定されたスライドベース５００がスライドノブ２００と同時に移動し、第一のＶ溝５０２、第二のＶ溝５０３、第三のＶ溝５０４の間に設けられた、第一の山５０５、第二の山５０６を、付勢部材８００で第一のＶ溝５０２または第二のＶ溝５０３または第三のＶ溝５０４に押しつけられたクリックボール７００が乗り越える時に、付勢部材８００が圧縮されて付勢力が強くなり、クリック力が発生する。
【００３１】
カメラモード／電源ＯＦＦモード間当接面１０５またはビデオモード／電源ＯＦＦモード間当接面１０７が、カバー１００に設けられた溝１０３と反対方向へ傾斜した面でなく、カメラモード時当接面１０４またはビデオモード時当接面１０６と同じ高さの場合には、付勢部材４００の付勢力が一定のままプッシュノブ３００に設けられた突出部３０１が各モード間当接面を摺動するため、摺動抵抗が一定であり、ユーザーが意図しないでスライドノブ２００がカメラモードまたは、ビデオモードから電源ＯＦＦモードに移動してしまう可能性があるが、カメラモード時当接面１０４またはビデオモード時当接面１０６からカバー１００に設けられた溝１０３と反対方向へ傾斜した面のカメラモード／電源ＯＦＦモード間当接面１０５またはビデオモード／電源ＯＦＦモード間当接面１０７としたため、前記クリックボール７００が付勢部材８００により押されて、前記各Ｖ溝を乗り越える際のクリック力に、プッシュノブ３００に設けられた突出部３０１が各モード間当接面を摺動する際、摺動面が傾斜しているため、付勢部材４００が圧縮されて付勢力が強くなり、摺動抵抗が大きくなり、スライドノブ２００を移動させるのに必要な荷重が増加されて、ユーザーが意図しないでスライドノブ２００がカメラモードまたは、ビデオモードから電源ＯＦＦモードに移動してしまうことを防止できる。
【００３２】
ユーザーによりスライドノブ２００を図９（ｂ）、図１０（ｂ）のカメラモードまたは、図９（ｃ）、図１０（ｃ）のビデオモードから図９（ａ）、図１０（ａ）は電源ＯＦＦモード位置に移動する場合には、カメラモード時当接面１０４またはビデオモード時当接面１０６からカバー１００に設けられた溝１０３と反対方向へ傾斜した面のカメラモード／電源ＯＦＦモード間当接面１０５またはビデオモード／電源ＯＦＦモード間当接面１０７としたため、前記クリックボール７００が付勢部材８００により押されて、前記各Ｖ溝を乗り越える際のクリック力に、プッシュノブ３００に設けられた突出部３０１が各モード間当接面を摺動する際、摺動面が傾斜しているため、付勢部材４００が圧縮されて付勢力が強くなり、摺動抵抗が大きくなり、スライドノブ２００を移動させるのに必要な荷重が増加されるが、ユーザーが意図して操作できる荷重に設定してあるため、スライドノブ２００を電源ＯＦＦモード位置方向にスライド可能で、付勢部材４００の付勢力によりプッシュノブ３００に設けられた突出部３０１がカバー１００に設けられた溝１０３に挿入され、スライドスイッチ機構２０が係止され電源ＯＦＦモードとなる。
【００３３】
以上説明したように、本発明によれば、簡単な構成で、コストの増加を招くことなく、カメラモード位置、ビデオモード位置でのスライドノブの移動をロック解除不要とし、電源ＯＦＦモード位置におけるプッシュノブの係止部と係合するカバーの凹部とカメラモード位置、ビデオモード位置におけるプッシュノブの係止部が当接するカバーの当接面との間の接続面に斜面を設けたことにより、カメラモード位置、ビデオモード位置から電源ＯＦＦモード位置への不用意なスライドノブの移動を制限することが可能となるとともに、カメラモード位置またはビデオモード位置から電源ＯＦＦモード位置に移動させる際には、プッシュノブを解除する必要なくスライドノブを操作するため、電源ＯＦＦモード位置に移動後、プッシュノブの係止部と係合するカバーの凹部にプッシュノブの係止部が挿入され、係止されるため、ビデオモード位置またはカメラモード位置へ行きすぎてしまうことを防止できる。
【００３４】
また、ユーザーがカメラモード位置からビデオモード位置へすぐに移動させたい場合、またはビデオモード位置からカメラモード位置へすぐに移動させたい場合には、スライドノブ２００の中央部穴２０１より出没するプッシュノブ３００に設けられたプッシュ部３０３を付勢部材４００の付勢力に反して押しこみながら、スライドノブ２００を移動させることにより、カメラモード位置から電源ＯＦＦモード位置を通り越してビデオモード位置へ、またはビデオモード位置から電源ＯＦＦモード位置を通り越してカメラモード位置へ移動可能である。
【符号の説明】
【００３５】
１０‥‥‥カメラ一体型ビデオ
２０‥‥‥スライドスイッチ機構
３０‥‥‥従来のカメラ一体型ビデオの電源モード切り替えスイッチ機構
５０‥‥‥従来のカメラ一体型ビデオ
１００‥‥本体のカバー
１０３‥‥カバー１００に設けられた溝
１０４‥‥カメラモード時当接面
１０５‥‥カメラモード／電源ＯＦＦモード間当接面
１０６‥‥ビデオモード時当接面
１０７‥‥ビデオモード／電源ＯＦＦモード間当接面
２００‥‥スライドノブ
３００‥‥プッシュノブ
３０１‥‥プッシュノブ３００に設けられた突出部
４００‥‥付勢部材
５００‥‥スライドベース
５０２‥‥第一のＶ溝
５０３‥‥第二のＶ溝
５０４‥‥第三のＶ溝
５０５‥‥第一の山
５０６‥‥第二の山
５０７‥‥ＳＷレバー係止部
６００‥‥固定部材
７００‥‥クリックボール
８００‥‥付勢部材
９００‥‥フレキシブル基板
９１０‥‥スライドＳＷ
９１１‥‥ＳＷレバー
【図１】
2015115215.tif 000003
【図２】
2015115215.tif 000004
【図３】
2015115215.tif 000005
【図４】
2015115215.tif 000006
【図５】
2015115215.tif 000007
【図６】
2015115215.tif 000008
【図７】
2015115215.tif 000009
【図８】
2015115215.tif 000010
【図９】
2015115215.tif 000011
【図１０】
2015115215.tif 000012